【手続補正書】
【提出日】平成22年4月25日(2010.4.25)
【手続補正１】
【補正対象書類名】特許請求の範囲
【補正対象項目名】全文
【補正方法】変更
【補正の内容】
【特許請求の範囲】
【請求項１】
表示板と表示板支持部材とから成る表示板装填物であって、
前記表示板支持部材は、前記表示板を装填する為の表示板装填部を有し、
前記表示板装填部は、表示板表示用窓部と、表示板挿入用口と、表示板挿入用スペースと、表示板スライド用溝とを有し、
前記表示板表示用窓部は、前記表示板を表示する為の窓であり、前記表示板支持部材の外側面から前記表示板挿入用スペースに至る切欠部または孔であるか、もしくは前記表示板挿入用スペースに収納された前記表示板の認識を前記表示板支持部材の外側面の側から可能とする為に透明性を有する材質で形成され、
前記表示板挿入用口は、前記表示板を挿入する為の入口であり、前記表示板表示用窓部とは異なる位置で、前記表示板支持部材の外側面に開口し、
前記表示板挿入用スペースは、前記表示板挿入用口に続く位置に存在し、前記表示板をスライド式に挿入して収納する為の空間であり、前記表示板表示用窓部が存在する側の窓部壁と、前記窓部壁と向かい合う対向壁の間の空間であり、前記表示板挿入用口と反対側の位置に行き止まりとなる壁を備え、
前記表示板スライド用溝は、前記窓部壁と前記対向壁の間の両側に存在する側方の溝部分であり、前記表示板挿入用スペースの両側に存在し、前記表示板を前記表示板挿入用スペースに挿入する際に前記表示板が沿う為の溝であり、
前記窓部壁または前記対向壁は、前記表示板の装填時に前記表示板の少なくとも一部が通過する位置に表示板嵌合用凹凸部を備え、
前記表示板は、板状で、表示面、裏面、挿入時前方部、挿入時後方部、挿入時側方部と表示板支持部材用嵌合部を有し、変形復元能を備え、
前記表示面と前記裏面は、表裏の関係となる面であり、
前記挿入時前方部は、前記表示板が前記表示板挿入用スペースにスライド式に挿入される際に前方となる部分であり、
前記挿入時後方部は、前記表示板が前記表示板挿入用スペースにスライド式に挿入される際に後方となる部分であり、
前記挿入時側方部は、前記表示面と前記裏面の間で前記挿入時前方部と前記挿入時後方部の間となる側方部分で、前記表示板が前記表示板挿入用スペースにスライド式に挿入される際に、両側の前記表示板スライド用溝の中に位置する部分であり、
前記表示板支持部材用嵌合部は、前記表示板嵌合用凹凸部と嵌合する為の切欠部、孔、凹部または突出部を有し、
前記窓部壁または前記対向壁のどちらか一方は、両側の前記表示板スライド用溝の間の中間または中間付近の位置に隆起する隆起部を備え、
前記表示板支持部材用嵌合部と前記表示板嵌合用凹凸部が互いに嵌合する位置まで、前記表示板を前記表示板挿入用口から前記表示板挿入用スペースに挿入する際に、前記表示板が変形能により前記表示板嵌合用凹凸部の凸部を避けて、前記表示板の両側の前記挿入時側方部の間の部分が前記挿入時側方部に対して前記表示面側に凸状または凹状に変形するように、両側の前記表示板スライド用溝、前記表示板嵌合用凹凸部および前記隆起部は設けられており、
前記表示板支持部材用嵌合部と前記表示板嵌合用凹凸部は、互いに嵌合する位置において、前記表示板の復元能により嵌合し、
前記行き止まりとなる壁は、前記表示板装填部に装填された前記表示板が、前記挿入時前方部の側から前記表示板挿入用口に向けて押し出して取り出されること妨げる為の壁であり、
前記表示板は、少なくとも前記表示面に、目印となる数字、文字、記号、絵、色、および模様のうちの少なくとも一つを有する
ことを特徴とする表示板装填物。
【請求項２】
表示板と表示板支持部材とから成る表示板装填物であって、
前記表示板支持部材は、前記表示板を装填する為の表示板装填部を有し、
前記表示板装填部は、表示板表示用窓部と、表示板挿入用口と、表示板挿入用スペースと、表示板スライド用溝とを有し、
前記表示板表示用窓部は、前記表示板を表示する為の窓であり、前記表示板支持部材の外側面から前記表示板挿入用スペースに至る切欠部または孔であるか、もしくは前記表示板挿入用スペースに収納された前記表示板の認識を前記表示板支持部材の外側面の側から可能とする為に透明性を有する材質で形成され、
前記表示板挿入用口は、前記表示板を挿入する為の入口であり、前記表示板表示用窓部とは異なる位置で、前記表示板支持部材の外側面に開口し、
前記表示板挿入用スペースは、前記表示板挿入用口に続く位置に存在し、前記表示板をスライド式に挿入して収納する為の空間であり、前記表示板表示用窓部が存在する側の窓部壁と、前記窓部壁と向かい合う対向壁の間の空間であり、前記表示板挿入用口と反対側の位置に行き止まりとなる壁を備え、
前記表示板スライド用溝は、前記窓部壁と前記対向壁の間の両側に存在する側方の溝部分であり、前記表示板挿入用スペースの両側に存在し、前記表示板を前記表示板挿入用スペースに挿入する際に前記表示板が沿う為の溝であり、
前記窓部壁または前記対向壁は、前記表示板の装填時に前記表示板の少なくとも一部が通過する位置に表示板嵌合用凹凸部を備え、
前記表示板は、板状で、表示面、裏面、挿入時前方部、挿入時後方部、挿入時側方部と表示板支持部材用嵌合部を有し、変形復元能を備え、
前記表示面と前記裏面は、表裏の関係となる面であり、
前記挿入時前方部は、前記表示板が前記表示板挿入用スペースにスライド式に挿入される際に前方となる部分であり、
前記挿入時後方部は、前記表示板が前記表示板挿入用スペースにスライド式に挿入される際に後方となる部分であり、
前記挿入時側方部は、前記表示面と前記裏面の間で前記挿入時前方部と前記挿入時後方部の間となる側方部分で、前記表示板が前記表示板挿入用スペースにスライド式に挿入される際に、両側の前記表示板スライド用溝の中に位置する部分であり、
前記表示板支持部材用嵌合部は、前記表示板嵌合用凹凸部と嵌合する為の切欠部、孔、凹部または突出部を有し、
前記窓部壁または前記対向壁のどちらか一方は、両側の前記表示板スライド用溝の間の中間または中間付近の位置に隆起する隆起部を備え、
前記表示板支持部材用嵌合部と前記表示板嵌合用凹凸部が互いに嵌合する位置まで、前記表示板を前記表示板挿入用口から前記表示板挿入用スペースに挿入する際に、前記表示板が変形能により前記表示板嵌合用凹凸部の凸部を避けて、前記表示板の両側の前記挿入時側方部の間の部分が前記挿入時側方部に対して前記表示面側に凸状または凹状に変形するように、両側の前記表示板スライド用溝、前記表示板嵌合用凹凸部および前記隆起部は設けられており、
前記表示板支持部材用嵌合部と前記表示板嵌合用凹凸部は、互いに嵌合する位置において、前記表示板の復元能により嵌合し、
前記行き止まりとなる壁は、表示板押出用孔または表示板押出用溝を有し、
前記表示板押出用孔は、前記表示板装填部に装填されている前記表示板を前記表示板挿入用口から取り出す為の前記表示板の押し出しに利用する孔であり、前記表示板押出用溝は、前記表示板装填部に装填されている前記表示板を前記表示板挿入用口から取り出す為の前記表示板の押し出しに利用する溝であり、
前記表示板は、少なくとも前記表示面に、目印となる数字、文字、記号、絵、色、および模様のうちの少なくとも一つを有する
ことを特徴とする表示板装填物。
【請求項３】
前記表示板嵌合用凹凸部の凸部は、前記窓部壁が前記隆起部を備えている場合には、前記表示板挿入用スペースの両側の前記表示板スライド用溝の底または底近くの前記対向壁の側の対向する位置にそれぞれ存在し、前記対向壁が前記隆起部を備えている場合には、前記表示板挿入用スペースの両側の前記表示板スライド用溝の底または底近くの前記窓部壁の側の対向する位置にそれぞれ存在する
ことを特徴とする請求項１または請求項２記載の表示板装填物。
【請求項４】
前記表示板嵌合用凹凸部の前記凸部は、更に、前記表示板挿入用口と前記行き止まりとなる壁の間の中間もしくは中間付近に位置し、
前記表示板支持部材は、複数の表示板装填部形成部材から形成され、
前記複数の表示板装填部形成部材の中の２つの表示板装填部形成部材は、それぞれ、互いに合わせる為の合せ面を備え、
前記２つの表示板装填部形成部材の一方は、前記表示板挿入用口と、前記表示板嵌合用凹凸部が有する前記凸部の一部を有し、
前記２つの表示板装填部形成部材の他方は、前記行き止まりとなる壁と、前記表示板嵌合用凹凸部が有する前記凸部の残りの一部を有し、
前記表示板装填部は、前記２つの表示板装填部形成部材がそれぞれ備える前記合せ面で互いに合わされることにより形成され、
前記表示板の前記表示板支持部材用嵌合部が有する前記切欠部、前記孔または前記凹部は、前記挿入時前方部と前記挿入時後方部の間の中間もしくは中間付近であり、両側の前記挿入時側方部またはその近傍となる位置にそれぞれ存在し、
前記２つの表示板装填部形成部材により形成される前記表示板装填部に、前記表示板を挿入して装填することにより、前記表示板支持部材用嵌合部が有する前記切欠部、前記孔または前記凹部に、前記表示板嵌合用凹凸部の前記凸部が嵌合し、前記表示板が、前記２つの表示板装填部形成部材を連結する部材となる
ことを特徴とする請求項３記載の表示板装填物。
【請求項５】
前記窓部壁または前記対向壁のどちらか一方が備える、両側の前記表示板スライド用溝の間の中間または中間付近の位置に隆起する前記隆起部が、前記表示板嵌合用凹凸部の凸部でもある
ことを特徴とする請求項１または請求項２記載の表示板装填物。
【請求項６】
前記隆起部でもある前記表示板嵌合用凹凸部の前記凸部は、更に、前記表示板挿入用口と前記行き止まりとなる壁の間の中間もしくは中間付近に位置し、
前記表示板支持部材は、複数の表示板装填部形成部材から形成され、
前記複数の表示板装填部形成部材の中の２つの表示板装填部形成部材は、それぞれ、互いに合わせる為の合せ面を備え、
前記２つの表示板装填部形成部材の一方は、前記表示板挿入用口と、前記表示板嵌合用凹凸部が有する前記凸部の一部を有し、
前記２つの表示板装填部形成部材の他方は、前記行き止まりとなる壁と、前記表示板嵌合用凹凸部が有する前記凸部の残りの一部を有し、
前記表示板装填部は、前記２つの表示板装填部形成部材がそれぞれ備える前記合せ面で互いに合わされることにより形成され、
前記表示板の前記表示板支持部材用嵌合部が有する前記孔または前記凹部は、前記挿入時前方部と前記挿入時後方部の間の中間もしくは中間付近であり、両側の前記挿入時側方部の間の中間もしくは中間付近となる位置に存在し、
前記２つの表示板装填部形成部材により形成される前記表示板装填部に、前記表示板を挿入して装填することにより、前記表示板支持部材用嵌合部が有する前記孔または前記凹部に、前記表示板嵌合用凹凸部の前記凸部が嵌合し、前記表示板が、前記２つの表示板装填部形成部材を連結する部材となる
ことを特徴とする請求項５記載の表示板装填物。
【請求項７】
前記２つの表示板装填部形成部材の有する前記合せ面の少なくとも一方は、陥凹部を有する
ことを特徴とする請求項４または請求項６記載の表示板装填物。
【請求項８】
前記陥凹部を有する表示板装填部形成部材は、更に貫通孔を有し、前記貫通孔は、前記陥凹部と外側面とを連絡する位置にある
ことを特徴とする請求項７記載の表示板装填物。
【請求項９】
前記２つの表示板装填部形成部材が、蝶番で連結されている
ことを特徴とする請求項７記載の表示板装填物。
【請求項１０】
前記２つの表示板装填部形成部材の有する前記合せ面は、それぞれ外側面に至る貫通孔を有する
ことを特徴とする請求項４または請求項６記載の表示板装填物。
【請求項１１】
前記表示板装填物が身飾用具、動物用の首輪、お守り札または名札のいずれかである
ことを特徴とする請求項１または請求項２記載の表示板装填物。
【請求項１２】
請求項１記載の表示板支持部材であって、前記表示板を支持するための表示板支持部材。
【請求項１３】
請求項２記載の表示板支持部材であって、前記表示板を支持するための表示板支持部材。
【請求項１４】
請求項４記載の表示板装填部形成部材であって、前記２つの表示板装填部形成部材のうちの前記一方の表示板装填部形成部材。
【請求項１５】
請求項４記載の表示板装填部形成部材であって、前記２つの表示板装填部形成部材のうちの前記他方の表示板装填部形成部材。
【請求項１６】
請求項５記載の表示板支持部材であって、前記表示板を支持するための表示板支持部材。
【請求項１７】
請求項６記載の表示板装填部形成部材であって、前記２つの表示板装填部形成部材のうちの前記一方の表示板装填部形成部材。
【請求項１８】
請求項６記載の表示板装填部形成部材であって、前記２つの表示板装填部形成部材のうちの前記他方の表示板装填部形成部材。